(57)【要約】【課題】サイズの異なる様々な物品の支持具としても使用することの可能な置物を提供する。【解決手段】本考案の置物１０は、置物本体１１と、置物本体１１を直立状態で支持する台座部１２であって、置物本体１１と嵌合可能に形成された複数の嵌合部１２ａ，１２ｂ，１２ｃを有する台座部１２と、を備え、置物本体１１は、複数の嵌合部１２ａ，１２ｂ，１２ｃのうち何れかの嵌合部と嵌合することによって、台座部１２に支持される。【選択図】図１
0003211477.tif 000002
【実用新案登録請求の範囲】
【請求項１】
置物本体と、
前記置物本体を直立状態で支持する台座部であって、前記置物本体と嵌合可能に形成された複数の嵌合部を有する台座部と、を備え、
前記置物本体は、前記複数の嵌合部のうち何れかの嵌合部と嵌合することによって、前記台座部に支持される、
置物。
【請求項２】
前記置物本体が前記何れかの嵌合部と嵌合している場合に、前記置物本体と間隔をおいて、前記何れかの嵌合部以外の他の嵌合部と嵌合する嵌合部材を備える、請求項１に記載の置物。
【請求項３】
前記嵌合部材が前記他の嵌合部と嵌合している場合に、前記置物本体及び前記嵌合部材の少なくとも一方と間隔をおいて、前記置物本体と前記嵌合部材との間の嵌合部と嵌合するスペーサ部材を備える、請求項２に記載の置物。
【請求項４】
前記嵌合部材及び前記スペーサ部材は、互いに着脱可能に構成されている、請求項３に記載の置物。
【請求項５】
前記複数の嵌合部のうち少なくとも一部の嵌合部は、前記台座部の同一表面内で所定方向に沿って設けられている、請求項１〜４の何れかに記載の置物。
【考案の詳細な説明】
【技術分野】
【０００１】
本考案は、例えば、置物本体と、当該置物本体を載置するための台座部と、を備える置物に関する。
【背景技術】
【０００２】
従来のかかる置物としては、例えば、少なくとも一部に湾曲面を有する置物本体と、当該湾曲面に対して間隔をおいて対向するように配置された輪形と、を備えるものが知られている（例えば、特許文献１）。特許文献１に記載された技術では、湾曲面と輪形との間に挿入されたカードを支持することができるようになっている。
【先行技術文献】
【特許文献】
【０００３】
【特許文献１】特開２００１−１６２９７９号公報
【考案の概要】
【考案が解決しようとする課題】
【０００４】
しかしながら、特許文献１に記載の技術では、支持可能な物品が、湾曲面と輪形との間に挿入可能なカードや紙類に限られており、これらの物品とサイズの異なる他の物品を支持することは想定されていなかった。
【０００５】
本考案は上記課題に鑑みてなされたものであり、サイズの異なる様々な物品の支持具としても使用することの可能な置物を提供することを目的とする。
【課題を解決するための手段】
【０００６】
上記目的を達成するために、本考案は、置物本体と、前記置物本体を直立状態で支持する台座部であって、前記置物本体と嵌合可能に形成された複数の嵌合部を有する台座部と、を備え、前記置物本体は、前記複数の嵌合部のうち何れかの嵌合部と嵌合することによって、前記台座部に支持される、置物を提供する（考案１）。
【０００７】
かかる考案（考案１）によれば、置物本体を、複数の嵌合部のうち何れかの嵌合部と嵌合させることによって、台座部における置物本体の支持位置を変更することができるので、置物本体の支持位置に応じて、台座部上の空いたスペース（置物本体が存在しないスペース）のサイズを変更することが可能になる。これにより、このスペースのサイズに応じた物品を台座部上に配置することができるので、サイズの異なる様々な物品の支持具としても使用することができる。
【０００８】
上記考案（考案１）においては、前記置物本体が前記何れかの嵌合部と嵌合している場合に、前記置物本体と間隔をおいて、前記何れかの嵌合部以外の他の嵌合部と嵌合する嵌合部材を備えてもよい（考案２）。
【０００９】
かかる考案（考案２）によれば、置物本体と嵌合部材との間に物品を配置することができる。また、この物品を置物本体及び嵌合部材の少なくとも一方に係止させることができるので、例えば当該物品が台座部から抜け出てしまうのを抑制することができる。
【００１０】
上記考案（考案２）においては、前記嵌合部材が前記他の嵌合部と嵌合している場合に、前記置物本体及び前記嵌合部材の少なくとも一方と間隔をおいて、前記置物本体と前記嵌合部材との間の嵌合部と嵌合するスペーサ部材を備えてもよい（考案３）。
【００１１】
かかる考案（考案３）によれば、置物本体と嵌合部材との間のスペースをスペーサ部材によって狭めることができるので、例えば、薄型の物品を、この狭められたスペースに挿入することによって直立状態で支持することができ、直立状態で支持された置物本体と合わせたときの見栄えを良くすることができる。
【００１２】
上記考案（考案３）においては、前記嵌合部材及び前記スペーサ部材は、互いに着脱可能に構成されてもよい（考案４）。
【００１３】
かかる考案（考案４）によれば、例えば嵌合部材及びスペーサ部材を使用しない場合には、嵌合部材及びスペーサ部材を一体に管理することができるので、これらの部材の管理性を向上させることができる。
【００１４】
上記考案（考案１〜４）においては、前記複数の嵌合部のうち少なくとも一部の嵌合部は、前記台座部の同一表面内で所定方向に沿って設けられていてもよい（考案５）。
【００１５】
かかる考案（考案５）によれば、少なくとも一部の嵌合部が所定方向に沿って設けられているので、当該少なくとも一部の嵌合部のうち何れかの嵌合部に置物本体を嵌合させることによって、台座部における置物本体の支持位置を、当該所定方向に沿って容易に変更することができる。
【考案の効果】
【００１６】
本考案の置物によれば、サイズの異なる様々な物品の支持具としても使用することができる。
【図面の簡単な説明】
【００１７】
【図１】本考案の一実施形態に係る置物の基本構成を概略的に示す図である。
【図２】（ａ）及び（ｂ）は、嵌合部材の取付例を説明するための図である。
【図３】（ａ）及び（ｂ）は、スペーサ部材の取付例を説明するための図である。
【図４】置物本体の他の配置例を説明するための図である。
【考案を実施するための形態】
【００１８】
以下、本考案の一実施形態について添付図面を参照して詳細に説明する。ただし、この実施形態は例示であり、本考案はこれに限定されるものではない。
【００１９】
図１は、本考案の一実施形態に係る置物の基本構成を概略的に示す図であり、図２は、嵌合部材の取付例を説明するための図であり、図３は、スペーサ部材の取付例を説明するための図であり、図４は、置物本体の他の配置例を説明するための図である。本実施形態に係る置物１０は、図１及び図２に示すように、置物本体１１と、台座部１２と、嵌合部材１３と、スペーサ部材１４と、を備えている。ここで、嵌合部材１３及びスペーサ部材１４は、必ずしも必須の構成要素ではないが、本考案をさらに好ましくするための構成要素である。
【００２０】
置物本体１１は、板状に形成されており、置物本体１１の主表面（表面のうち最も面積の大きい主要な表面）には、表示対象となるオブジェクトが例えば印刷等によって付されている。また、置物本体１１の端部（図１の例では下端部）には、台座部１２の複数の嵌合部１２ａ，１２ｂ，１２ｃ（後述する）の各々と嵌合可能に形成された凸部１１ａが設けられている。
【００２１】
ここで、オブジェクトとは、表示対象となり得るものであれば如何なるものであってもよいが、例えば、漫画、ゲーム、映画、テレビ番組等のキャラクタやアイテム等の画像情報であってもよいし、文字情報であってもよい。また、キャラクタとは、例えば現実世界に存在するもの（例えばスポーツ選手、芸能人、動物等）、現実世界に存在するものを模したもの、又は、漫画、ゲーム、映画、テレビ番組等に登場する人物、生物若しくはモンスター等であってもよい。
【００２２】
なお、本実施形態では、図１に示すように、漫画、ゲーム、映画等のキャラクタＣの画像が置物本体１１の表面に付されている場合を一例として説明する。また、本実施形態では、置物本体１１が板状に形成されている場合を一例として説明しているが、置物本体１１は、置物１０の種類やデザイン等に応じて如何なる形状を有していてもよい。
【００２３】
置物本体１１の材料は、例えば、アクリル樹脂等の透明樹脂やガラス等の透明材料であってもよいし、所定の、繊維、ゴム、粘土、陶土、石材、木材、金属等であってもよい。また、置物本体１１は、例えば、アクリル樹脂等の透明樹脂のシートに対して切り抜き加工又は型抜き加工等を施すことによって形成されてもよい。
【００２４】
台座部１２は、置物本体１１を直立状態で支持するものであって、本実施形態では円板形状を有している。また、台座部１２には、台座部１２の主表面を貫通する孔状に形成された複数（図１の例では３つ）の嵌合部１２ａ，１２ｂ，１２ｃが設けられている。各嵌合部１２ａ，１２ｂ，１２ｃは、置物本体１１の凸部１１ａと嵌合可能に形成されており、台座部１２は、置物本体１１の凸部１１ａが複数の嵌合部１２ａ，１２ｂ，１２ｃのうち何れかの嵌合部と嵌合すると、置物本体１１を、上下方向（図中Ｚ方向）に直立した状態で支持することができる。
【００２５】
台座部１２は、例えば、置物本体１１と同じ材料（例えばアクリル樹脂等の透明樹脂等）のシートに対して切り抜き加工又は型抜き加工等を施すことによって形成されてもよい。なお、台座部１２の材料は、置物本体１１の材料と異なっていてもよい。
【００２６】
本実施形態において、複数の嵌合部１２ａ，１２ｂ，１２ｃは、台座部１２の同一表面（上面）内で前後方向（図中Ｙ方向）に沿って設けられている。これにより、複数の嵌合部１２ａ，１２ｂ，１２ｃのうち何れかの嵌合部に置物本体１１を嵌合させることによって、台座部１２における置物本体１１の支持位置を、前後方向（図中Ｙ方向）に沿って容易に変更することができる。
【００２７】
また、本実施形態では、図１に示すように、２つの嵌合部１２ａ，１２ｃの開口部が、台座部１２の幅方向（図中Ｘ方向）に延在する矩形状に形成されており、１つの嵌合部１２ｂの開口部が、幅方向（図中Ｘ方向）及び前後方向（図中Ｙ方向）に延在する十字形状に形成されている。この場合、複数の嵌合部１２ａ，１２ｂ，１２ｃのうち何れかの嵌合部に置物本体１１を嵌合させることによって、置物本体１１が前方又は後方を向くように置物本体１１を支持することができる。また、嵌合部１２ｂのうち前後方向（図中Ｙ方向）に延在する部分に置物本体１１を嵌合させた場合には、置物本体１１が幅方向（図中Ｘ方向）を向くように置物本体１１を支持することができる。なお、複数の嵌合部１２ａ，１２ｂ，１２ｃの形状は、例えば置物本体１１の凸部１１ａの形状に応じて適宜決定されてもよい。
【００２８】
嵌合部材１３は、板状に形成された部材であって、置物本体１１が複数の嵌合部１２ａ，１２ｂ，１２ｃのうち何れかの嵌合部（例えば嵌合部１２ｃ）と嵌合している場合に、置物本体１１と間隔をおいて、当該何れかの嵌合部以外の他の嵌合部（例えば嵌合部１２ａ）と嵌合するように構成されている。嵌合部材１３を設けることによって、置物本体１１と嵌合部材１３との間に物品を配置することができる。また、この物品を置物本体１１及び嵌合部材１３の少なくとも一方に係止させることができるので、例えば当該物品が台座部１２から抜け出てしまうのを抑制することができる。
【００２９】
嵌合部材１３の側面（主表面以外の表面）には、複数の嵌合部１２ａ，１２ｂ，１２ｃの各々と嵌合可能に形成された凸部１３ａが設けられている。台座部１２は、嵌合部材１３の凸部１３ａが複数の嵌合部１２ａ，１２ｂ，１２ｃのうち何れかの嵌合部と嵌合すると、嵌合部材１３を、上下方向（図中Ｚ方向）に直立した状態で支持することができる。
【００３０】
嵌合部材１３は、例えば、置物本体１１と同じ材料（例えばアクリル樹脂等の透明樹脂等）のシートに対して切り抜き加工又は型抜き加工等を施すことによって形成されてもよい。なお、嵌合部材１３の材料は、置物本体１１及び／又は台座部１２の材料と異なっていてもよい。
【００３１】
スペーサ部材１４は、板状に形成された部材であって、置物本体１１が複数の嵌合部１２ａ，１２ｂ，１２ｃのうち何れかの嵌合部（例えば嵌合部１２ｃ）と嵌合し、且つ、嵌合部材１３が他の嵌合部（例えば嵌合部１２ａ）と嵌合している場合に、置物本体１１及び嵌合部材１３の少なくとも一方と間隔をおいて、置物本体１１と嵌合部材１３との間の嵌合部（例えば嵌合部１２ｂ）と嵌合するように構成されている。スペーサ部材１４を設けることによって、置物本体１１と嵌合部材１３との間のスペースをスペーサ部材１４によって狭めることができるので、例えば、薄型の物品（例えばカードや紙類等）を、この狭められたスペースに挿入することによって直立状態で支持することができ、直立状態で支持された置物本体１１と合わせたときの見栄えを良くすることができる。
【００３２】
スペーサ部材１４の側面（主表面以外の表面）には、複数の嵌合部１２ａ，１２ｂ，１２ｃの各々と嵌合可能に形成された凸部１４ａが設けられている。台座部１２は、スペーサ部材１４の凸部１４ａが複数の嵌合部１２ａ，１２ｂ，１２ｃのうち何れかの嵌合部と嵌合すると、スペーサ部材１４を、上下方向（図中Ｚ方向）に直立した状態で支持することができる。
【００３３】
本実施形態において、嵌合部材１３及びスペーサ部材１４は、互いに着脱可能に構成されている。具体的には、スペーサ部材１４は、例えば、嵌合部材１３に対して切り抜き加工又は型抜き加工等を施すことによって形成されてもよい。これにより、例えば嵌合部材１３及びスペーサ部材１４を使用しない場合には、嵌合部材１３及びスペーサ部材１４を一体に管理することができるので、これらの部材１３，１４の管理性を向上させることができる。なお、スペーサ部材１４は、嵌合部材１３とは個別に形成されてもよい。さらに、スペーサ部材１４の材料は、置物本体１１、台座部１２及び／又は嵌合部材１３の材料と異なっていてもよい。
【００３４】
以上のように構成された置物１０に関して、嵌合部材１３及びスペーサ部材１４の各々の取付方法の一例を、図２及び図３を参照して説明する。先ず、置物本体１１は、その凸部１１ａが嵌合部１２ｃに対して上方から嵌合することによって、台座部１２に支持されている場合を想定する。
【００３５】
次に、図２（ａ）に示すように、嵌合部材１３の凸部１３ａが、嵌合部１２ａに対して上方から嵌合することによって、嵌合部材１３が台座部１２に支持される。この場合における置物本体１１と嵌合部材１３との前後方向（図中Ｙ方向）の間隔は、図２（ｂ）に示すように、Ｄ１で表される。これにより、この間隔Ｄ１に物品を配置することができる。また、間隔Ｄ１に配置された物品を置物本体１１及び嵌合部材１３の少なくとも一方に係止させることができるので、例えば当該物品が台座部１２から抜け出てしまうのを抑制することができる。
【００３６】
次に、図３（ａ）に示すように、スペーサ部材１４の凸部１４ａが、嵌合部１２ｂのうち前後方向（図中Ｙ方向）に延在する部分に対して上方から嵌合することによって、スペーサ部材１４が台座部１２に支持される。このとき、スペーサ部材１４と嵌合部材１３との前後方向（図中Ｙ方向）の間隔は、図３（ｂ）に示すように、Ｄ２（＜Ｄ１）で表される。これにより、置物本体１１と嵌合部材１３との間のスペース（Ｄ１）をスペーサ部材１４によって狭めることができるので、例えば、薄型の物品（例えばカードや紙類等）を、この狭められたスペース（Ｄ２）に挿入することによって直立状態で支持することができ、直立状態で支持された置物本体１１と合わせたときの見栄えを良くすることができる。
【００３７】
上述したように、本実施形態に係る置物１０によれば、置物本体１１を、複数の嵌合部１２ａ，１２ｂ，１２ｃのうち何れかの嵌合部と嵌合させることによって、台座部１２における置物本体１１の支持位置を変更することができるので、置物本体１１の支持位置に応じて、台座部１２上の空いたスペース（置物本体１１が存在しないスペース）のサイズを変更することが可能になる。これにより、このスペースのサイズに応じた物品を台座部１２上に配置することができるので、本実施形態に係る置物１０を、サイズの異なる様々な物品の支持具としても使用することができる。
【００３８】
以上説明した実施形態は、本考案の理解を容易にするために記載されたものであって、本考案を限定するために記載されたものではない。したがって、上記実施形態に開示された各要素は、本考案の技術的範囲に属する全ての設計変更や均等物をも含む趣旨である。
【００３９】
上記実施形態では、置物本体１１、嵌合部材１３、スペーサ部材１４の各々が複数の嵌合部１２ａ，１２ｂ，１２ｃに嵌合している場合を一例として説明したが、この場合に限られない。例えば、嵌合部材１３及びスペーサ部材１４の何れかを用いなくてもよく、嵌合部材１３を用いない場合には、図４に示すように、スペーサ部材１４を嵌合部材１３の代わりに用いてもよい。図４の例では、スペーサ部材１４が嵌合部１２ｃと嵌合しており、置物本体１１が嵌合部１２ａと嵌合している。この場合、置物本体１１とスペーサ部材１４との間にスマートフォン等の端末装置を配置することによって、置物１０を端末装置ホルダーとしても使用することができる。
【００４０】
上記実施形態では、複数の嵌合部１２ａ，１２ｂ，１２ｃの全てが、台座部１２の同一表面（上面）内で前後方向（図中Ｙ方向）に沿って設けられている場合を一例として説明したが、この場合に限られない。例えば、複数の嵌合部１２ａ，１２ｂ，１２ｃのうち一部の嵌合部（例えば、嵌合部１２ａ，１２ｂ）のみが所定方向に沿って設けられてもよい。
【００４１】
また、上記実施形態では、複数の嵌合部１２ａ，１２ｂ，１２ｃが、台座部１２の主表面を貫通する孔状に形成されている場合を一例として説明したが、この場合に限られない。例えば、複数の嵌合部１２ａ，１２ｂ，１２ｃは、溝状に形成されてもよい。また、複数の嵌合部１２ａ，１２ｂ，１２ｃは、台座部１２の側面に設けられてもよい。
【００４２】
さらに、上記実施形態では、１つの置物１０を設けた場合を一例として説明したが、置物１０の数は２つ以上であってもよい。この場合、２つ以上の置物１０を所定方向（例えば幅方向（図中Ｘ方向））に並べて配置して、薄型で大型の物品を、各置物１０のスペーサ部材１４と嵌合部材１３との間のスペース（Ｄ２）に嵌合させることによって各置物１０で支持してもよい。
【産業上の利用可能性】
【００４３】
本考案の置物は、サイズの異なる様々な物品の支持具としても使用することができるので、その産業上の利用可能性は極めて大きい。
【符号の説明】
【００４４】
１０…置物
１１…置物本体
１２…台座部
１２ａ，１２ｂ，１２ｃ…嵌合部
１３…嵌合部材
１４…スペーサ部材
【図１】
0003211477.tif 000003
【図２】
0003211477.tif 000004
【図３】
0003211477.tif 000005
【図４】
0003211477.tif 000006